【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
コントローラを含む第１の無線モデムと、
前記第１の無線モデムへ接続された第１のアンテナと、
前記第１の無線モデムへ接続された第２の無線モデムと、
前記第２の無線モデムへ接続された第２のアンテナと、
前記第１の無線モデムへ接続されたユーザ・インタフェースと、
を具備し、
前記第１の無線モデムが前記ユーザ・インタフェースの動作を制御し、
前記第１の無線モデムが第１のエアインタフェースを提供し、
前記第２の無線モデムが第２のエアインタフェースを提供し、 
前記第１のエアンタフェースが前記第２のエアインタフェースとは異なり、
前記第２の無線モデムが、前記第２のエアインタフェースの動作専用の制御機能を含み、
前記第１の無線モデムが前記第２の無線モデムの動作を制御し、
それによって、前記第１の無線モデムが前記第１のエアインタフェースと前記第２のエアインタフェースの両方の動作を管理する
ことを特徴とする電話。
【請求項２】
前記第１の無線モデムがセルラ・エアインタフェースを提供する、請求項１に記載の電話。
【請求項３】
前記第１の無線モデムがＰＣＳエアインタフェースを提供する、請求項１に記載の電話。
【請求項４】
前記第１の無線モデムがＣＤＭＡエアインタフェースを提供する、請求項１に記載の電話。
【請求項５】
前記第２の無線モデムがコードレス電話エアインタフェースを提供する、請求項１に記載の電話。
【請求項６】
前記第２の無線モデムが無線ＬＡＮエアインタフェースを提供する、請求項１に記載の電話。
【請求項７】
前記第２の無線モデムが、前記第１の無線モデムを介して前記ユーザ・インタフェースとデータを交換する、請求項１に記載の電話。
【請求項８】
前記第１の無線モデムへ接続された第３の無線モデムを更に具備し、
前記第３の無線モデムが第３のエアインタフェースを提供し、
前記第３のエアインタフェースが前記第１のエアインタフェースおよび前記第２のエアインタフェースとは異なる
ことを特徴とする、請求項１に記載の電話。
【請求項９】
第１の無線モデムから第２の無線モデムへモデム制御信号を送信し、
前記第１の無線モデムが前記第２の無線モデムの動作を制御し、
前記第１の無線モデムが第１のエアインタフェースを提供し、
前記第２の無線モデムが第２のエアインタフェースを提供し、
前記第１のエアインタフェースが前記第２のエアインタフェースとは異なり、
前記第２の無線モデムが、前記第２のエアインタフェースの動作専用の制御機能を含み、
前記第１の無線モデムが前記第１のエアインタフェースと前記第２のエアインタフェースの両方の動作を管理するように、前記第１の無線モデムが前記第２の無線モデムの動作を制御し、
前記第１の無線モデムからユーザ・インタフェースへユーザ・インタフェース制御信号を送信し、
前記第１の無線モデムが前記ユーザ・インタフェースの動作を制御し、
前記ユーザ・インタフェース制御信号に従って前記ユーザ・インタフェースから前記第２の無線モデムへ通信データを送信し、
前記モデム制御信号に従って前記第２の無線モデムからアンテナへ前記通信データを送信する
ことを含む、電話を制御する方法。
【請求項１０】
前記第１の無線モデムが第１のエアインタフェースを提供し、
前記第２の無線モデムが第２のエアインタフェースを提供し、 
前記第１のエアインタフェースが前記第２のエアインタフェースとは異なる、
請求項９に記載の方法。
【請求項１１】
前記第１の無線モデムがＣＤＭＡインタフェースを提供し、
前記第２の無線モデムがコードレス電話インタフェースを提供する、
請求項１０に記載の方法。
【請求項１２】
前記ユーザ・インタフェースから前記第２の無線モデムへ通信データを送信する前記送信が、前記ユーザ・インタフェースから前記第１の無線モデムへ前記通信データを送信し、前記第１の無線モデムから前記第２の無線モデムへ前記通信データを送信することを含む、
請求項９に記載の方法。
【請求項１３】
前記第１の無線モデムで前記通信データを処理し、前記第２の無線モデムのために前記通信データを準備する
ことを更に含む、請求項１２に記載の方法。
【請求項１４】
前記第２の無線モデムから前記第１の無線モデムへモデム・フィードバック信号を送信する
ことを更に含む、請求項９に記載の方法。
【請求項１５】
前記第２の無線モデムで前記アンテナを介して到来通信データを受信し、
前記第２の無線モデムから前記第１の無線モデムへモデム・フィードバック信号を送信し、
前記第１の無線モデムから前記第２の無線モデムへ第２のモデム制御信号を送信し、
前記第２のモデム制御信号に従って前記第２の無線モデムから前記ユーザ・インタフェースへ前記到来通信データを送信する
ことを更に含む、請求項９に記載の方法。
【請求項１６】
前記第２の無線モデムから前記ユーザ・インタフェースへ到来通信データを送信する前記送信が、第２の無線モデムから前記第１の無線モデムへ前記到来通信データを送信し、前記第１の無線モデムから前記ユーザ・インタフェースへ前記到来通信データを送信することを含む、
請求項１５に記載の方法。
【請求項１７】
前記第１の無線モデムで前記到来通信データを処理し、前記ユーザ・インタフェースのために前記到来通信データを準備する
ことを更に含む、請求項１６に記載の方法。
【請求項１８】
第１の無線モデムでアンテナを介して到来通信データを受信し、
前記第１の無線モデムから第２の無線モデムへモデム・フィードバック信号を送信し、
前記第２の無線モデムから前記第１の無線モデムへモデム制御信号を送信し、
前記第２の無線モデムが前記第１の無線モデムの動作を制御し、
前記第１の無線モデムが第１のエアインタフェースを提供し、
前記第２の無線モデムが第２のエアインタフェースを提供し、
前記第１のエアインタフェースが前記第２のエアインタフェースとは異なり、
前記第２の無線モデムが、前記第２のエアインタフェースの動作専用の制御機能を含み、
前記第１の無線モデムが前記第１のエアインタフェースと前記第２のエアインタフェースの両方の動作を管理するように、前記第１の無線モデムが前記第２の無線モデムの動作を制御し、
前記第２の無線モデムからユーザ・インタフェースへユーザ・インタフェース制御信号を送信し、
前記第２の無線モデムが前記ユーザ・インタフェースの動作を制御し、
前記モデム制御信号に従って前記第１の無線モデムから前記ユーザ・インタフェースへ前記到来通信データを送信する、
ことを含む、電話を制御する方法。
【請求項１９】
前記第１の無線モデムが第１のエアインタフェースを提供し、
前記第２の無線モデムが第２のエアインタフェースを提供し、 
前記第１のエアインタフェースが前記第２のエアインタフェースとは異なる、
請求項１８に記載の方法。
【請求項２０】
前記第１の無線モデムがコードレス電話インタフェースを提供し、
前記第２の無線モデムがＣＤＭＡインタフェースを提供する、
請求項１９に記載の方法。
【請求項２１】
前記第１の無線モデムから前記ユーザ・インタフェースへ到来通信データを送信する前記送信が、第１の無線モデムから前記第２の無線モデムへ前記到来通信データを送信し、前記第２の無線モデムから前記ユーザ・インタフェースへ前記到来通信データを送信することを含む、
請求項１８に記載の方法。
【請求項２２】
前記第２の無線モデムで前記到来通信データを処理し、前記ユーザ・インタフェースのために前記到来通信データを準備する
ことを更に含む、請求項２１に記載の方法。
【請求項２３】
第１の無線モデムから第２の無線モデムへモデム制御信号を送信する手段と、
前記第１の無線モデムが前記第２の無線モデムの動作を制御し、
前記第１の無線モデムからユーザ・インタフェースへユーザ・インタフェース制御信号を送信する手段と、
前記第１の無線モデムが前記ユーザ・インタフェースの動作を制御し、
前記ユーザ・インタフェース制御信号に従って前記ユーザ・インタフェースから前記第２の無線モデムへ通信データを送信する手段と、
前記モデム制御信号に従って前記第２の無線モデムからアンテナへ前記通信データを送信する手段と、
を具備し、
前記第１の無線モデムが第１のエアインタフェースを提供し、
前記第２の無線モデムが第２のエアインタフェースを提供し、
前記第１のエアインタフェースが前記第２のエアインタフェースとは異なり、
前記第２の無線モデムが、前記第２のエアインタフェースの動作専用の制御機能を含み、
前記第１の無線モデムが前記第１のエアインタフェースと前記第２のエアインタフェースの両方の動作を管理するように、前記第１の無線モデムが前記第２の無線モデムの動作を制御する
ことを特徴とする、電話を制御するシステム。
【請求項２４】
第１の無線モデムでアンテナを介して到来通信データを受信する手段と、
前記第１の無線モデムから第２の無線モデムへモデム・フィードバック信号を送信する手段と、
前記第２の無線モデムから前記第１の無線モデムへモデム制御信号を送信する手段と、
前記第２の無線モデムが前記第１の無線モデムの動作を制御し、
前記第２の無線モデムからユーザ・インタフェースへユーザ・インタフェース制御信号を送信する手段と、
前記第２の無線モデムが前記ユーザ・インタフェースの動作を制御し、
前記モデム制御信号に従って前記第１の無線モデムから前記ユーザ・インタフェースへ前記到来通信データを送信する手段と、
を具備し、
前記第１の無線モデムが第１のエアインタフェースを提供し、
前記第２の無線モデムが第２のエアインタフェースを提供し、 
前記第１のエアインタフェースが前記第２のエアインタフェースとは異なり、
前記第２の無線モデムが、前記第２のエアインタフェースの動作専用の制御機能を含み、
前記第１の無線モデムが前記第１のエアインタフェースと前記第２のエアインタフェースの両方の動作を管理するように、前記第１の無線モデムが前記第２の無線モデムの動作を制御する、
ことを特徴とする、電話を制御するシステム。